(57)【特許請求の範囲】
【請求項１】
上端部にシート部材で形成された下向きの鉤形部が設けられ、この鉤形部で展示用バーに吊り下げられる吊り下げ展示用パッケージにおいて、前記鉤形部が形成された第１のシート部材の片面側に、前記鉤形部の開口を閉塞する開口閉塞部を形成した第２のシート部材を重ね合わせ、これらの第１および第２のシート部材の少なくとも一方を、可撓性を有するものとし、前記第１および第２のシート部材の上端縁が互いに交わる部位に、略Ｖ字形の凹部が形成されるようにして、この略Ｖ字形の凹部を前記展示用バーに押し当てて前記重ね合わせたシート部材を捻ることにより、この凹部から展示用バーが重ね合わせたシート部材間に入り込んで、前記開口閉塞部が鉤形部から離反するようにし、前記鉤形部へ展示用バーを挿入可能としたことを特徴とする吊り下げ展示用パッケージ。
【請求項２】
前記開口閉塞部を、前記鉤形部と逆向きに対向して重なり合う下向きの鉤形部とし、それぞれの鉤形部の開口を互いに閉塞し合うものとした請求項１に記載の吊り下げ展示用パッケージ。
【請求項３】
前記第１のシート部材の上端側に延長部を設け、前記第２のシート部材をこの延長部の折り畳みにより形成した請求項１または２に記載の吊り下げ展示用パッケージ。
【発明の詳細な説明】
【０００１】
【発明の属する技術分野】
この発明は、展示用バーに吊り下げられる吊り下げ展示用パッケージに関するものである。
【０００２】
【従来の技術】
展示用バーに吊り下げられる商品の吊り下げ展示用パッケージには、厚紙やプラスチックシート等のシート部材で台紙が形成され、この台紙の上端部、または台紙の上端部に取り付けられた別のシート部材に、展示用バーへの吊り下げ部が設けられたものがある。
【０００３】
この種の吊り下げ展示用パッケージの吊り下げ部の形態は、展示用バーに通される孔が設けられたものと、展示用バーに引っ掛けられる下向きの鉤が設けられたものとに大別される。
【０００４】
前者の孔を設けたものは、展示用バーから抜け落ちる心配はないが、展示用バーの先端からしか挿入できない。このため、展示商品を先入れ、先出しするためには、先に吊り下げられた旧いパッケージを全て展示用バーから抜き出して、新たなパッケージを展示用バーの奥に挿入する必要があり、商品の補給に手間がかかる問題がある。
【０００５】
一方、後者の鉤を設けたものは、鉤の開口から展示用バーの任意の位置に挿入できるので、展示用バーの奥側へ新たなパッケージを挿入して、展示商品を容易に先入れ、先出しすることができる。しかしながら、鉤で吊り下げたパッケージは、人や物と接触して揺れたときに、展示用バーから抜け落ちやすい問題がある。吊り下げたパッケージが抜け落ちると、パッケージされた商品や、下方に展示された他の商品が損傷する恐れがある。
【０００６】
【発明が解決しようとする課題】
そこで、この発明の課題は、展示商品の先入れ、先出しが容易にでき、かつ、展示用バーから抜け落ちない吊り下げ展示用パッケージを提供することである。
【０００７】
【課題を解決するための手段】
上記の課題を解決するために、この発明は、上端部にシート部材で形成された下向きの鉤形部が設けられ、この鉤形部で展示用バーに吊り下げられる吊り下げ展示用パッケージにおいて、前記鉤形部が形成された第１のシート部材の片面側に、前記鉤形部の開口を閉塞する開口閉塞部を形成した第２のシート部材を重ね合わせ、これらの第１および第２のシート部材の少なくとも一方を、可撓性を有するものとした構成を採用した。
【０００８】
すなわち、鉤形部が形成された第１のシート部材に、鉤形部の開口を閉塞する開口閉塞部を形成した第２のシート部材を重ね合わせ、これらのシート部材の少なくとも一方に可撓性を持たせることにより、この可撓性を持たせたシート部材を撓ませて開口閉塞部を鉤形部から離反させ、鉤形部の開口から展示用バーの任意の位置へ展示用パッケージを挿入できるようにし、かつ、吊り下げ時は鉤形部の開口が開口閉塞部で閉塞されて、展示用バーから抜け落ちないようにした。
【０００９】
前記開口閉塞部は、前記鉤形部と逆向きに対向して重なり合う下向きの鉤形部で、それぞれの鉤形部の開口を互いに閉塞し合うものとすることができる。
【００１０】
前記第１および第２のシート部材の上端縁が互いに交わる部位に、略Ｖ字形の凹部を形成することにより、この略Ｖ字形の凹部を展示用バーに押し当てて重ね合わせたシート部材を捻ると、展示用バーが凹部から重ね合わせたシート部材間に入り込んで、開口閉塞部が鉤形部から離反するので、鉤形部へ簡単に展示用バーを挿入することができる。
【００１１】
前記第１のシート部材の上端側に延長部を設け、前記第２のシート部材をこの延長部の折り畳みにより形成することにより、展示用パッケージを構成するシート部材の枚数を減らして、その組み立てを簡素化することができる。また、延長部の折り畳みにより鉤形部を２枚重ねとすることができるので、鉤形部の強度を高めることができる。
【００１２】
【発明の実施の形態】
以下、図１乃至図５に基づき、この発明の実施形態を説明する。図１乃至図３は、第１の実施形態を示す。この吊り下げ展示用パッケージは、図１に示すように、鑢１を展示用バー２に吊り下げて展示するものであり、厚紙製の台紙３に切り目を入れて形成された帯部４に鑢１が保持され、可撓性を有する台紙３の上端部に下向きの鉤形部５が形成されるとともに、台紙３の裏面側に折り畳まれて重ね合わされた台紙３の延長部３ａに、鉤形部５と逆向きに対向して重なり合う開口閉塞部としての下向きの鉤形部６が形成されている。延長部３ａの先端部は台紙３の裏面側に糊付けされている。また、台紙３の下端部は表面側へ折り曲げられて、その上方の切り込みに係止されている。
【００１３】
前記重なり合う２つの鉤形部５、６は、互いにそれぞれの開口を閉塞し合って、展示用バー２が挿入される孔７を形成しており、鉤形部５が形成された台紙３の上端縁と、鉤形部６が形成された延長部３ａの上端縁とが交わる部位には、略Ｖ字形の凹部８が形成されている。
【００１４】
図２は、前記台紙３の上端部とその延長部３ａの展開図である。この展開図には、鉤形部５の上端縁となる山折りの折り目線９ａと、鉤形部６の上端縁となる山折りの折り目線９ｂと、これらの中間の谷折りの折り目線１０とが設けられ、各鉤形部５、６は、それぞれ山折りの各折り目線９ａ、９ｂに対称に形成されている。したがって、各鉤形部５、６は台紙３の２枚重ねで補強され、鑢１の重みに十分耐えられるようになっている。
【００１５】
前記孔７へ展示用バー２を挿入する際は、図３に示すように、凹部８を展示用バー２に押し当てて台紙３を捻ることにより、展示用バー２が凹部８から重ね合わせた台紙３とその延長部３ａ間に入り込んで、２つの鉤形部５、６が離反するので、展示用バー２の任意の位置で、孔７へ展示用バー２を簡単に挿入することができる。
【００１６】
図４は、第１の実施形態の変形例を示す。この変形例は、前記開口閉塞部としての鉤形部６の替わりに、鉤形部５の開口を閉塞する上向きの爪形部１１を設けたものである。この爪形部１１も、台紙３の裏面側に折り畳まれて重ね合わされた台紙３の延長部３ａに形成されており、その上端縁が鉤形部５の形成された台紙３の上端縁と交わる部位には、略Ｖ字形の凹部８が形成されている。その他の部分は、第１の実施形態と同じである。
【００１７】
図５は、第２の実施形態を示す。この吊り下げ展示用パッケージも鑢１を展示するものであり、可撓性を有する厚紙製の台紙１２に、鑢収納部１３が形成された透明なプラスチック製のカバーシート１４が重ねて取り付けられ、台紙１２とカバーシート１４の各上端部に、互いに逆向きに対向して重なり合う鉤形部１５、１６が形成され、それぞれの開口を閉塞し合って、展示用バー２が挿入される孔１７を形成している。また、鉤形部１５が形成された台紙１２の上端縁と、鉤形部１６が形成されたカバーシート１４の上端縁とが交わる部位には、略Ｖ字形の凹部１８が形成されている。
【００１８】
上述した各実施形態では、吊り下げ展示用パッケージを鑢用のものとしたが、本発明に係る吊り下げ展示用パッケージは、展示用バーに吊り下げられる任意の商品に用いることができる。また、鉤形部とその開口閉塞部の形態は、実施形態や変形例のものに限定されることはなく、上端部で互いに重ね合わされるシート部材の一方に鉤形部が形成され、他方にその開口を閉塞する開口閉塞部が形成されたものであればよい。
【００１９】
【発明の効果】
以上のように、この発明の吊り下げ展示用パッケージは、鉤形部が形成された第１のシート部材に、鉤形部の開口を閉塞する開口閉塞部を形成した第２のシート部材を重ね合わせ、これらのシート部材の少なくとも一方に可撓性を持たせることにより、この可撓性を持たせたシート部材を撓ませて開口閉塞部を鉤形部から離反させ、鉤形部の開口から展示用バーの任意の位置へ展示用パッケージを挿入できるようにしたので、展示商品の先入れ、先出しを容易にでき、かつ、展示用バーからの抜け落ちも防止することができる。
【００２０】
また、前記第１および第２のシート部材の上端縁が互いに交わる部位に、略Ｖ字形の凹部を形成することにより、この略Ｖ字形の凹部を展示用バーに押し当てて重ね合わせたシート部材を捻ると、展示用バーが凹部から重ね合わせたシート部材間に入り込んで、開口閉塞部が鉤形部から離反するので、鉤形部へ簡単に展示用バーを挿入することができる。
【００２１】
さらに、前記第１のシート部材の上端側に延長部を設け、前記第２のシート部材をこの延長部の折り畳みにより形成することにより、展示用パッケージを構成するシート部材の枚数を減らして、その組み立てを簡素化することができる。
【図面の簡単な説明】
【図１】第１の実施形態の吊り下げ展示用パッケージを示す外観斜視図
【図２】図１の台紙とその延長部の展開図
【図３】図１の凹部から孔へ展示用バーを挿入するときの状態を示す斜視図
【図４】第１の実施形態の吊り下げ展示用パッケージの変形例を示す一部省略外観斜視図
【図５】第２の実施形態の吊り下げ展示用パッケージを示す外観斜視図
【符号の説明】
１  鑢
２  展示用バー
３  台紙
３ａ  延長部
４  帯部
５、６  鉤形部
７  孔
８  凹部
９ａ、９ｂ、１０  折り目線
１１  爪形部
１２  台紙
１３  鑢収納部
１４  カバーシート
１５、１６  鉤形部
１７  孔
１８  凹部
【図１】
0003668467.tif 000002
【図２】
0003668467.tif 000003
【図３】
0003668467.tif 000004
【図４】
0003668467.tif 000005
【図５】
0003668467.tif 000006